(57)【要約】【課題】  特定の用途の照明具に設け、該照明具の光線の照射形態を変化させて多目的に使用できるようにする照明具用の傘を提供する。【解決手段】  ハウジングと該ハウジング内に設けた光源とを含んでなる照明具に設ける照明具用の傘であって、該傘が該照明具の光源に向って反射面が形成される天井壁と、該天井壁に接続する周壁とを具え、かつ該天井壁と該周壁とによって囲まれて内部空間が形成され、該内部空間に、軸方向において該天井壁に近接した位置に光線伝送部を設け、かつ該周壁には軸方向において該天井壁から離れた位置に、該照明具のハウジングに接合する接合部を設け、該光伝送部は、それぞれ異なる角度で、かつ互いに離れて設けられる接続リブと、複数の光通過窓とを含むとともに、それぞれの接続リブが該天井壁と該周壁の接合部とを接続し、該光通過窓は、それぞれ角度が異なり、かつ該接続リブと交互に設けられる。【選択図】  図１
0003183851.tif 000002
【実用新案登録請求の範囲】
【請求項１】
ハウジングと、該ハウジング内に設けた光源とを含んでなる照明具に設ける照明具用の傘であって、
該傘が、該照明具の光源に向って反射面が形成される天井壁と、該天井壁に接続する周壁とを具え、かつ該天井壁と該周壁とによって囲まれて内部空間が形成され、
該内部空間に、軸方向において該天井壁に近接した位置に光線伝送部を設け、かつ
該周壁には軸方向において該天井壁から離れた位置に、該照明具のハウジングに接合する接合部を設け、
該光伝送部は、それぞれ異なる角度で、かつ互いに離れて設けられる接続リブと、複数の光通過窓とを含むとともに、それぞれの接続リブが該天井壁と該周壁の接合部とを接続し、該光通過窓は、それぞれ角度が異なり、かつ該接続リブと交互に設けられることを特徴とする照明具用の傘。
る。
【請求項２】
前記周壁の接合部に、それぞれ異なる角度で、かつ互いに離れてスリットが形成され、該スリットは、第１スリット部と、該第１スリット部に比してスリットの幅が狭い第２スリット部とを具え、
該第１スリット部は該接合部の底端縁部から延伸し、
該第２スリット部は該第１スリット部の一端から該周壁の光伝送部に向って延伸することを特徴とする請求項１に記載の照明具用の傘。  
【請求項３】
前記周壁の接合部が底端部を具え、該周壁の内周面に階段部が形成され、該階段状部は複数の段差部を具え、複数の該段差部は周囲が延伸し、かつ着脱自在に該照明具のハウジングに接合することを特徴とする請求項１に記載の照明具用の傘。  
【請求項４】
前記周壁の接合部が外周面を具え、該外周面から補強が該外周面から突出し、かつ該スリットと交互に配置するように形成されることを特徴とする請求項３に記載の照明具用の傘
【請求項５】
前記天井壁が主要部と反射部を有し、該主要部が該周壁に接続し、かつ該反射部が該主要部に接続し、頂点が該光源に向う円錐の円錐面である反射面を該反射部に形成することを特徴とする請求項４に記載の照明具用の傘。
【請求項６】
前記周壁の接合部が外周面を具え、該外周面から補強が該外周面から突出し、かつ該スリットと交互に配置するように形成されることを特徴とする請求項１に記載の照明具用の傘。
【請求項７】
前記天井壁が主要部と、反射部と、角度調整部とを含んでなり、該反射部は平面状に形成され、かつ反射面を形成してなり、該主要部の下方に角度調整部を介して設けられることを特徴とする請求項１に記載の照明具用の傘。
【請求項８】
前記角度調整部がボールジョイントであることを特徴とする請求項７に記載の照明具用の傘。
【考案の詳細な説明】
【技術分野】
【０００１】
この考案は照明具に関し、特に照明具用の傘に関する。
【背景技術】
【０００２】
市販されている照明具は、各種目的に合わせて、それぞれの異なるタイプのものが開発されている。例えば、一部の照明具は建築物の天井や壁に取り付けて室内の照明用に使用されている。また一部の照明具は卓上などに設置して局部の照明に用いられる。さらには、一部には携帯型の照明具も見られる。例えば懐中電灯や合図灯などは屋外で使用され、光線を集束させる照明用に使用されている。
【０００３】
但し、これら照明具は、それぞれ用途が特定されている。例えば、光線を集束させる懐中電灯は、光線の照射が均一な照明具として使用することはできない。したがって、照明具の応用範囲には限りがある。
【考案の概要】
【考案が解決しようとする課題】
【０００４】
この考案は、特定の用途の照明具に設け、該照明具の光線の照射形態を変化させ、該照明具を多目的に使用できるようにする照明具用の傘を提供することを課題とする。  
【課題を解決するための手段】
【０００５】
そこで、本考案者は従来の照明具に見られる上述の欠点に鑑みて鋭意研究を重ねた結果、ハウジングと該ハウジング内に設けた光源とを含んでなる照明具に設ける照明具用の傘であって、該傘が該照明具の光源に向って反射面が形成される天井壁と、該天井壁に接続する周壁とを具え、かつ該天井壁と該周壁とによって囲まれて内部空間が形成され、該内部空間に、軸方向において該天井壁に近接した位置に光線伝送部を設け、かつ該周壁には軸方向において該天井壁から離れた位置に、該照明具のハウジングに接合する接合部を設け、該光伝送部は、それぞれ異なる角度で、かつ互いに離れて設けられる接続リブと、複数の光通過窓とを含むとともに、それぞれの接続リブが該天井壁と該周壁の接合部とを接続し、該光通過窓は、それぞれ角度が異なり、かつ該接続リブと交互に設けられる照明具用の傘によって課題を解決できる点に着眼し、かかる知見に基づいて、本考案を完成させた。
【０００６】
以下、この考案について具体的に説明する。
請求項１に記載する照明具用の傘は、ウジングと、該ハウジング内に設けた光源とを含んでなる照明具に設ける照明具用の傘であって、
該傘が、該照明具の光源に向って反射面が形成される天井壁と、該天井壁に接続する周壁とを具え、かつ該天井壁と該周壁とによって囲まれて内部空間が形成され、
該内部空間に、軸方向において該天井壁に近接した位置に光線伝送部を設け、かつ
該周壁には軸方向において該天井壁から離れた位置に、該照明具のハウジングに接合する接合部を設け、
該光伝送部は、それぞれ異なる角度で、かつ互いに離れて設けられる接続リブと、複数の光通過窓とを含むとともに、それぞれの接続リブが該天井壁と該周壁の接合部とを接続し、該光通過窓は、それぞれ角度が異なり、かつ該接続リブと交互に設けられる。
【０００７】
請求項１に記載する照明具用の傘は、請求項１における周壁の接合部に、それぞれ異なる角度で、かつ互いに離れてスリットが形成され、該スリットは、第１スリット部と、該第１スリット部に比してスリットの幅が狭い第２スリット部とを具え、
該第１スリット部は該接合部の底端縁部から延伸し、
該第２スリット部は該第１スリット部の一端から該周壁の光伝送部に向って延伸する。
【０００８】
請求項３に記載する照明具用の傘は、請求項１における周壁の接合部が底端部を具え、該周壁の内周面に階段部が形成され、該階段状部は複数の段差部を具え、複数の該段差部は周囲が延伸し、かつ着脱自在に該照明具のハウジングに接合する。  
【０００９】
請求項４に記載する照明具用の傘は、請求項３における周壁の接合部が外周面を具え、該外周面から補強が該外周面から突出し、かつ該スリットと交互に配置するよう  に形成される。
【００１０】
請求項５に記載する照明具用の傘は、請求項４における天井壁が主要部と反射部を有し、該主要部が該周壁に接続し、かつ該反射部が該主要部に接続し、頂点が該光源に向う円錐の円錐面である反射面を該反射部に形成する。
【００１１】
請求項６に記載する照明具用の傘は、請求項１における周壁の接合部が外周面を具え、該外周面から補強が該外周面から突出し、かつ該スリットと交互に配置するように形成される。
【００１２】
請求項７に記載する照明具用の傘は、請求項１における天井壁が主要部と、反射部と、角度調整部とを含んでなり、該反射部は平面状に形成され、かつ反射面を形成してなり、該主要部の下方に角度調整部を介して設けられる。
【００１３】
請求項に記載する照明具用の傘は、請求項７における角度調整部がボールジョイントである。
【図面の簡単な説明】
【００１４】
【図１】この考案による照明具用の傘の斜視図である。
【図２】図１に開示する傘の使用状態の動作を示した説明図である。
【図３】図１に開示する傘の断面図である。
【図４】第２の実施の形態による傘の使用状態の動作を示した説明図である。
【図５】図４に開示する傘の局部拡大説明図である。
【考案を実施するための形態】
【００１５】
図１から３に開示するように、この考案の照明具用の傘１は、照明具２に取付ける。実施例において、照明具２は懐中電灯であって、ハウジング２１と、ハウジング２１内に設けた光源２２を含んでなる。
【００１６】
傘１は、天井壁１１と、照明具２の軸線ｘを取り巻く周壁１２とを含み、かつ周壁１２は天井壁１１に接続して、天井壁１１と周壁１２とによって囲まれて内部空間１３が形成される。
【００１７】
天井壁１１は、主要部１１１と、反射部１１２とを有し、主要部１１１はプラスチック材によってなり、かつ周壁１２に接続する。反射部１１２は主要部１１１に接続して反射面１１４を形成し、かつ反射面１１４は、照明具２の光源２２に対向して形成される。
【００１８】
反射面１１４は円錐体に形成される。即ち、円錐の頂点が光源２２に向かっていて、その円錐面が鍍金層によって被覆されて反射面１１４が形成される。
【００１９】
周壁１２は、天井壁１１の主要部１１１に接合するか。もしくは天井壁１１と一体に形成する。また  周壁１２には、軸線ｘに沿った方向において天井壁１１に近接した位置に光線伝送部１２１を設け、軸線ｘに沿った方向において天井壁１１から離れた位置に、照明具２のハウジング２１に接合する接合部１２２を設ける。
【００２０】
周壁１２の光伝送部１２１は、それぞれ異なる角度で、かつ互いに離れて設けられる接続リブ１２３と、複数の光通過窓１２４とを含む。それぞれの接続リブ１２３は、天井壁１２と壁１２の接合部１２２とを接続する。光通過窓１２４は、それぞれ角度が異なり、かつ接続リブ１２３と交互に設けられる。
【００２１】
実施例において、接合部１２２には、それぞれ異なる角度で、かつ互いに離れてスリット１４が形成され、かつ底端部と、内周面１２５と、外周面１２６と、底端縁部１２７と、複数の補強リブ１２８と、及び複数の階段状部１２０とを含む。
【００２２】
内周面１２５は、内部空間１３に面する底端の部分に形成され、外周面１２６は内周面１２５に面する。
【００２３】
底端縁部１２７は軸線ｘに沿った方向において光伝送部１２１に対向して位置する。
【００２４】
スリット１４は軸線ｘの方向に沿って底端縁部１２７から光伝送部１２１に向って延伸し、かつそれぞれ接続リブ１２３と一直線になるように形成する。また、それぞれのスリット１４は、第１スリット部１４１と、第１スリット部１４１に比してスリットの幅が狭い第２スリット部１４２とを具える。第１スリット部１４１は接合部１２２の底端縁部１２７から延伸し、第２スリット部１４２は第１スリット部１４１の一端から周壁１２の光伝送部１２１に向って延伸する。  
【００２５】
補強リブ１２８は、外周面１２６から突出し、かつスリット１４と交互に配置する。
【００２６】
階段状部１２０は、複数の段差部１２９を具え、複数の段差部１２９は周囲が延伸し、かつ着脱自在に照明具２のハウジング２に接合する。また、階段状部１２０の高さは、それぞれのスリット１４の長さと実質同様の高さに設けられる。
【００２７】
周壁１２の接合部１２２が照明具２のハウジングの一端に接続した場合、スリット１４によって周壁１２の弾性が高まり、しかも階段状部１２０によって、傘１の周壁１２と照明具２との接続がさらに安定する。
【００２８】
以上の構成による照明具用の傘１は、図３に矢印で示したように、光源２２から照射された光線が反射面１１４に至り、反射して光線通過窗１２４から傘１の外部に放向される。したがって、照明具２の均一な照射強度が得られる。このため、光線を集束させる照明用に使用される照明具２は、例えば懐中電灯などであって、この考案による照明具用の傘を取付けて照明具２を使用する場合、照明具２から光線が均一に照射され、かつ柔らかい光線が照射される。よって、例えば停電時などに使用する場合、もしくは屋外で使用する場合、通常の照明用の照明具として使用することができる。
【００２９】
図４、５に開示第２の実施の形態を開示する。図面に開示するように、第２の実施の形態は、第１の実施の形態とほぼ同様の構造である。その主な差異は、天井壁１１が主要部１１１と、反射部１１２と、角度調整部１１５とを含んでなる点である。
【００３０】
天井壁１１は、周壁１２に接続し、反射部１１２は平面状に形成され、かつ反射面１１４を形成してなり、主要部１１１の下方に角度調整部１１５を介して設けられる。角度調整部１１５はボールジョイントであって、受け皿部１１７と、ボール部１１６とを具え、ボール部１１６は主要部１１１に設けられ、受け皿部１１７は反射部１１２の上面に設けられる。よって、反射面１１４の主要部１１に対する角度を自在に調整することができる。
【符号の説明】
【００３１】
１                        傘
１１      天井壁
１１１  主要部
１１２  反射部
１１４  反射面
１１５  角度調整部
１１６  ボール部
１１７  受け皿部
１２      周壁
１２０  階段状部
１２１  光伝送部
１２２  接合部
１２３  接続リブ
１２４  光通過窓
１２５  内周面
１２６  外周面
１２７  底端縁部
１２８  補強リブ
１２９  段差部
１３      内部空間
１４      スリット
１４１  第１スリット部
１４２  第２スリット部
２                        照明具
２１      ハウジング
２２      光源
【図１】
0003183851.tif 000003
【図２】
0003183851.tif 000004
【図３】
0003183851.tif 000005
【図４】
0003183851.tif 000006
【図５】
0003183851.tif 000007